(57)【要約】【課題】、アロマの芳香を、他人に影響を与えることなく、利用者の周囲のみに漂わせることができるアロマ錠剤，アロマ錠剤包装体及び空気清浄機を提供する。【解決手段】  アロマ錠剤１は、セラミック体１０とアロマオイル１１とで形成されている。セラミック体１０の構造やアロマオイル１１の物理量は、アロマ錠剤１から揮発するアロマオイル１１の芳香が、アロマ錠剤１の周囲約１ｍ３以内に収まるように設定されている。具体的には、セラミック体１０の大きさは、２００ｍｍ３〜６００ｍｍ３の範囲であり、セラミック体１０の孔１０ａの直径は、０．１μｍ〜１０μｍの範囲であり、セラミックに対する孔１０ａの密度が約１．５ｇ／ｍ３  である。そして、アロマオイル１１におけるアロマ濃度は、ほぼ１００％であり、セラミック体１０に対するアロマオイル１１の使用量は、０．０５ｇ〜０．２ｇである。【選択図】図２
0003225383.tif 000002
【実用新案登録請求の範囲】
【請求項１】
アロマオイルとこのアロマオイルが含浸された錠剤状のセラミック体とで形成されたアロマ錠剤であって、
上記セラミック体の大きさは、２００ｍｍ３〜６００ｍｍ３であり、
上記セラミック体に対するアロマオイルの使用量は、０．０５ｇ〜０．２ｇであり、
アロマオイルに対するアロマ濃度は、ほぼ１００％である、
ことを特徴とするアロマ錠剤。
【請求項２】
請求項１に記載のアロマ錠剤を包装した気密性有する第１包装部と、
上記第１包装部を包装した気密性及び遮光性有する第２包装部と、
を備えることを特徴とするアロマ錠剤包装体。
【請求項３】
請求項２に記載のアロマ錠剤包装体において、
上記第１包装部は、ＰＴＰ包装体であり、
上記第２包装部は、チャック付きアルミニュウム包装体である、
ことを特徴とするアロマ錠剤包装体。
【請求項４】
吸気口から空気経路内に吸気した空気を濾過して排気口から排気する携帯用の空気清浄機であって、
空気清浄機の直径を５０ｍｍ〜８０ｍｍで、厚さを１０ｍｍ〜３０ｍｍに設定し、
請求項１に記載のアロマ錠剤を、上記空気経路の吸気口近傍，排気口近傍又は途中位置のいずれかに配設した、
ことを特徴とする空気清浄機。
【考案の詳細な説明】
【技術分野】
【０００１】
この考案は、揮発性のアロマオイルが含浸された錠剤状のセラミックで形成されたアロマ錠剤，アロマ錠剤包装体及び空気清浄機に関するものである。
【背景技術】
【０００２】
アロマオイルは、気持ちをリラックスさせ、心に癒しや落ち着きをもたらす液体としてよく知られている。すなわち、アロマオイルの芳香を、芳香を居住空間に漂わせることで、気持ちをリラックスさせることのできる環境を作ることができる。アロマオイルの芳香を、居住空間に漂わせる方法として、例えば、特許文献１に記載のように、超音波振動を利用したアロマディフューザーを使用して芳香を蒸散させる方法が知られている。
【先行技術文献】
【特許文献】
【０００３】
【特許文献１】特開２０１６−１５３１１７号公報
【特許文献２】特開２０１７−７８５２９号公報
【考案の概要】
【考案が解決しようとする課題】
【０００４】
しかし、上記した従来の技術では、次のような問題があった。
上記従来の技術は、アロマオイルを、揮発させて、居住空間一杯に拡散させる方法であるため、アロマオイルの芳香が必要以上に広く拡散する。このため、芳香がアロマオイルの芳香を必要としていない他人にも拡散し、その他人に不快感を与えるおそれがあった。
【０００５】
この考案は、上述した課題を解決するためになされたもので、アロマの芳香を、他人に影響を与えることなく、利用者の周囲のみに漂わせることができるアロマ錠剤，アロマ錠剤包装体及び空気清浄機を提供することを目的とする。
【課題を解決するための手段】
【０００６】
上記課題を解決するために、第１の考案は、アロマオイルとこのアロマオイルが含浸された錠剤状のセラミック体とで形成されたアロマ錠剤であって、セラミック体の大きさは、２００ｍｍ３〜６００ｍｍ３であり、セラミック体に対するアロマオイルの使用量は、０．０５ｇ〜０．２ｇであり、アロマオイルに対するアロマ濃度は、ほぼ１００％である構成とした。
かかる構成により、小さな錠剤から少量且つ適量のアロマの芳香が空間に漂うので、アロマ芳香の漂う空間が、ほぼ利用者の周囲に限定される。このため、このアロマ芳香が、利用者から離れた位置にいる他人まで拡散して、他人に迷惑かけるという事態は生じない。
【０００７】
第２の考案は、第１の考案のアロマ錠剤を包装した気密性有する第１包装部と、第１包装部を包装した気密性及び遮光性有する第２包装部とを備える構成とした。
かかる構成により、第１包装部によって、アロマ錠剤に対する気密性が保持され、第２包装部によって、さらに、アロマ錠剤に対する気密性と遮光性とが保持されるので、アロマ錠剤の保存期間の長期化を図ることができる。
【０００８】
第３の考案は、第２の考案のアロマ錠剤包装体において、第１包装部は、ＰＴＰ包装体であり、第２包装部は、チャック付きアルミニュウム包装体である構成とした。
【０００９】
第４の考案は、吸気口から空気経路内に吸気した空気を濾過して排気口から排気する携帯用の空気清浄機であって、空気清浄機の直径を５０ｍｍ〜８０ｍｍで、厚さを１０ｍｍ〜３０ｍｍに設定し、第１の考案のアロマ錠剤を、空気経路の吸気口近傍，排気口近傍又は途中位置のいずれかに配設した構成とする。
かかる構成により、アロマ錠剤が配設された携帯用の空気清浄機を持ち歩き、好みの場所で空気清浄機を作動させることで、アロマ芳香が、利用者の周囲に漂う。このとき、アロマ芳香を放出しているアロマ錠剤が、第１の考案のアロマ錠剤であるので、アロマ芳香は、利用者の周辺のみ漂い、離れた他人に迷惑をかけることはない。空気清浄機は携帯用であるので、空気清浄機をペンダントのように首にかけたり、パソコンの横に置いたりして、アロマ芳香を、他人に迷惑を掛けることなく、自分だけで楽しむことができる。
【考案の効果】
【００１０】
以上詳しく説明したように、これらの考案によれば、アロマの芳香を、他人に迷惑をかけることなく、自分だけで楽しむことができる、という優れた効果がある。
また、第２の考案によれば、アロマ錠剤の保存期間を長期化することができる、という効果がある。
【図面の簡単な説明】
【００１１】
【図１】この考案の第１実施例に係るアロマ錠剤を示す斜視図である。
【図２】アロマ錠剤の内部構造を模式的に示す図１の矢視Ａ−Ａ断面図である。
【図３】アロマ錠剤の内部構造を模式的に示す図１の矢視Ｂ−Ｂ断面図である。
【図４】この考案の第２実施例に係るアロマ錠剤包装体を示すの斜視図である。
【図５】図４の矢視Ｃ−Ｃ断面図である。
【図６】第１包装部の斜視図である。
【図７】図６の矢視Ｅ−Ｅ断面図である。
【図８】この考案の第３実施例に係る空気清浄機の外観図である。
【図９】空気清浄機の主要部品を示す分解斜視図である。
【図１０】空気清浄機の正面図である。
【図１１】空気清浄機の裏面図である。
【図１２】収納機構を説明するための裏面図である。
【図１３】空気清浄機を机の上に立てた状態を示す斜視図である。
【図１４】空気清浄機の一使用例を示す概略図である。
【図１５】空気清浄機の作用を説明するための概略断面図である。
【考案を実施するための形態】
【００１２】
以下、この考案の最良の形態について図面を参照して説明する。
（実施例１）
図１は、この考案の第１実施例に係るアロマ錠剤を示す斜視図であり、図２は、アロマ錠剤の内部構造を模式的に示す図１の矢視Ａ−Ａ断面図であり、図３は、アロマ錠剤の内部構造を模式的に示す図１の矢視Ｂ−Ｂ断面図である。
【００１３】
アロマ錠剤１は、図２及び図３に示すように、セラミック体１０とアロマオイル１１とで形成されている。
この実施例のセラミック体１０の構造やアロマオイル１１の物理量は、１つのアロマ錠剤１から揮発するアロマオイル１１の芳香がアロマ錠剤１の周囲約１ｍ３以内に収まる量に、設定されている。具体的には、次の通りである。
【００１４】
セラミック体１０を、錠剤状に形成した。セラミック体１０の大きさは、２００ｍｍ３〜６００ｍｍ３の範囲に設定することが好ましい。この実施例では、セラミック体１０を直径５ｍｍで長さ１１ｍｍの大きさに設定した。
セラミック体１０は、多孔質材料であり、多数の孔１０ａを有している。使用するセラミック体１０の孔１０ａの直径は、０．１μｍ〜１０μｍの範囲が好ましい。
この実施例のセラミック体１０では、直径約１．９μｍの孔１０ａを有し且つセラミックに対する孔１０ａの密度が約１．５ｇ／ｍ３  のセラミック体を適用した。
【００１５】
アロマオイル１１は、このセラミック体１０に含浸されている。
アロマオイル１１におけるアロマ濃度は、ほぼ１００％である。セラミック体１０に対するアロマオイル１１の使用量は、０．０５ｇ〜０．２ｇが好ましい。この実施例では、１つのセラミック体１０に対するアロマオイル１１の使用量を、０．１ｇに設定した。
【００１６】
次に、この実施例のアロマ錠剤の作用及び効果について説明する。
図１に示す小さなアロマ錠剤１を、利用者の近傍に配置すると、セラミック体１０内のアロマオイル１１が適量揮発し、アロマオイル１１の芳香が空間に漂う。このアロマオイル１１の芳香が漂う空間範囲は、利用者のほぼ周囲１ｍ３に限定される。このため、アロマオイル１１の匂いが、利用者から離れた位置にいる他人に至ることはない。つまり、この実施例のアロマ錠剤１は、周囲に迷惑をかけない個人限定のアロマ剤として使用することができる。
【００１７】
（実施例２）
次に、第２実施例について説明する。
図４は、この考案の第２実施例に係るアロマ錠剤包装体を示すの斜視図であり、図５は、図４の矢視Ｃ−Ｃ断面図である。
図４及び図５に示すように、この実施例のアロマ錠剤包装体２は、第１包装部３と第２包装部４との二重構造の包装体である。
複数の第１包装部３が、１つの第２包装部４内に包装される得るが、この実施例では、理解を容易にするため、１つの第１包装部３が１つの第２包装部４内に収納されたアロマ錠剤包装体２について説明する。
【００１８】
図６は、第１包装部３の斜視図であり、図７は、図６の矢視Ｅ−Ｅ断面図である。
第１包装部３は、図６に示すように、第１実施例のアロマ錠剤１を包装したＰＴＰ （ＩＰｒｅｓｓ  Ｔｈｒｏｕｇｈ  Ｐａｃｋ）包装体である。
つまり、図７に示すように、複数のアロマ錠剤１が薄いアルミニュウムシート３０上に配置され、各アロマ錠剤１がプラスチックキャップ３１内に収納されている。そして、アルミニュウムシート３０と各プラスチックキャップ３１とが、接着剤３２によって接着されている。
第１包装部３が、かかる構造になっていることにより、アロマ錠剤１の大気への接触が防止され、その気密性により、吸湿等によるアロマ錠剤１の変質を防ぐことができ、清潔な状態を保つことができる。また、アロマ錠剤１の破損を防ぐこともできる。
【００１９】
第２包装部４は、図４に示すように、チャック付きアルミニュウム包装体である。
具体的には、図５に示すように、背面のアルミニュウムシート４０と表面のアルミニュウムシート４１とが重ねられ、アルミニュウムシート４０の周縁部４０ａとアルミニュウムシート４１の周縁部４１ａとが圧着されている。
そして、チャック４２がアルミニュウムシート４０，４１との間に形成されている。このチャック４２は、アルミニュウムシート４０側に形成された凹部４２ａとアルミニュウムシート４１側に形成された凸部４２ｂとで構成されており、これら凹部４２ａと凸部４２ｂとが離脱可能に係合されている。
また、図４に示すように、一対の切り欠き４３，４３が、チャック４２の近傍の一点鎖線Ｄ−Ｄ示す位置に形成されている。
第２包装部４がかかる構造になっているので、収納された第１包装部３に対し、気密性と遮光性とを有する。
【００２０】
次に、この実施例のアロマ錠剤包装体２の使用例について説明する。
上記のように、アロマ錠剤包装体２が、アロマ錠剤１を気密性有するＰＴＰ包装体である第１包装部３で包装し、さらに、この第１包装部３を気密性と遮光性とを有するチャック付きアルミニュウム包装体で包装されているので、アロマ錠剤１の保存期間の長期化を図ることができる。
第１包装部３を第２包装部４から取り出すには、図４に示した切り欠き４３，４３を一点鎖線Ｄ−Ｄに沿って切り込み、第２包装部４の上部側を取り除く。
しかる後、図５に示したチャック４２近傍のアルミニュウムシート４０，４１の端部を、図の上下に開いて、チャック４２を解除し、第１包装部３を第２包装部４内から取り出す。
そして、取り出した第１包装部３のプラスチックキャップ３１をアルミニュウムシート３０側に強く押して、アロマ錠剤１でアルミニュウムシート３０を破り、そのアロマ錠剤１を第１包装部３から取り出すことができる。
その他の構成，作用及び効果は、上記第１実施例と同様であるので、その記載は省略する。
【００２１】
（実施例３）
次に、第３実施例について説明する。
図８は、この考案の第３実施例に係る空気清浄機の外観図であり、図９は、空気清浄機の主要部品を示す分解斜視図であり、図１０は、空気清浄機の正面図である。
図８に示すように、この実施例の空気清浄機５は、携帯用の空気清浄機であり、蓋５０が筐体５１に被せられた小さな外観をなす。この空気清浄機５の大きさは、携帯性を担保できる大きさであればよい。例えば、空気清浄機の直径を５０ｍｍ〜８０ｍｍで、厚さを１０ｍｍ〜３０ｍｍに設定することで、空気清浄機５の携帯性を担保することができる。この実施例では、空気清浄機５の長径７２ｍｍで厚さ２８ｍｍに設定した。
【００２２】
図８及び図１０に示すように、蓋５０は、筐体５１とほぼ同形に形成されている。同心リング状の吸気口５０ａ，５０ｂがこの蓋５０に形成され、蓋５０の正面側空間と裏面側空間（図８の上方側空間と下方側空間）とが吸気口５０ａ，５０ｂを介して連通している。
筐体５１は、排気口５１ａと足部５１ｂとスイッチ５６とを周面５１ｃに有している。
排気口５１ａと足部５１ｂとは、筐体５１の周面５１ｃであって且つ互いに対抗する位置に形成されている。
【００２３】
かかる外観の空気清浄機５は、主要部品としての電気集塵フィルタ５２とＤＣファン５３と二次電池５４とを備えている。
具体的には、図９に示すように、電気集塵フィルタ５２が、筐体５１の内側（図９の下側）に配置され、ＤＣファン５３が、電気集塵フィルタ５２の内側に配置されている。そして、リチウムイオン電池等の二次電池５４が筐体５１の奥部に収納されている。二次電池５４は、スイッチ５６を介してＤＣファン５３に電気的に接続されると共に、スイッチ５６及び図示しない昇圧回路を介して電気集塵フィルタ５２に電気的に接続されている。
ＤＣファン５３は、ＤＣファン５３を囲み且つ排気口５１ａ側に開口したＵ字状のガイド壁５３ａを有している。つまり、電気集塵フィルタ５２の間隙とＤＣファン５３のガイド壁５３ａとによる空気経路が、蓋５０の吸気口５０ａ，５０ｂと筐体５１の排気口５１ａとの間に形成されている。
これにより、スイッチ５６をオンすると、電気集塵フィルタ５２とＤＣファン５３が作動し、外部の空気Ａが、蓋５０の吸気口５０ａ，５０ｂから筐体５１内に吸気され、電気集塵フィルタ５２で濾過された後、ＤＣファン５３に至る。すると、ＤＣファン５３で煽られた空気Ａは、ガイド壁５３ａによって、排気口５１ａ側に案内され、排気口５１ａから排気されることとなる。
【００２４】
このような空気清浄機５には、アロマ錠剤１を筐体５１内の空気経路の途中に収納することができる収納機構６が設けられている。
図１１は、空気清浄機の裏面図であり、図１２は、収納機構６を説明するための裏面図である。
図１１に示すように、収納機構６は、排気口５１ａの近傍に形成されている。
具体的には、図１２に示すように、蓋部６０を着脱自在に嵌め込むことができる凹部６１が、筐体５１の表面に凹設されている。そして、開口６２が、凹部６１の一部に形成され、筐体５１の外部と内部とが開口６２を通じて連通している。さらに、アロマ錠剤１を受ける保持枠６３が、開口６２の内側に形成され、アロマ錠剤１が筐体５１内に脱落することを防止している。
収納機構６が、このような機構を採っているので、図９に示すように、アロマ錠剤１を蓋部６０の内側に載せ、図１２に示す蓋部６０を凹部６１に嵌め込むことできる。これにより、アロマ錠剤１が、保持枠６３に保持された状態で、排気口５１ａの近傍に収納されることとなる。
【００２５】
次に、この実施例の空気清浄機５の使用例について説明する。
図１３は、空気清浄機５を机の上に立てた状態を示す斜視図であり、図１４は、空気清浄機５の一使用例を示す概略図であり、図１５は、空気清浄機５の作用を説明するための概略断面図である。
【００２６】
図１３及び図１４に示すように、空気清浄機５は、机１００の上に立て、利用者２００の近くにおいて使用することができる。
つまり、かかる状態で、スイッチ５６をオンにすると、図１５に示すように、空気清浄機５内部の電気集塵フィルタ５２とＤＣファン５３とが作動し、正面の空気Ａが、蓋５０の吸気口５０ａ，５０ｂから筐体５１内に吸気され、上記した空気経路を通って、排気口５１ａから排気される。
空気Ａは、この際、電気集塵フィルタ５２によって集塵され、ＤＣファン５３によって排気口５１ａ側に案内される。このとき、収納機構６に収納されたアロマ錠剤１によって、アロマオイル１１（図２及び図３参照）の気体が、空気Ａに混入される。
この結果、アロマオイル１１の気体を含んだ清浄な空気が、空気清浄機５の排気口５１ａから真上に排気され、その周囲に漂う。
このアロマオイル１１の気体は、利用者２００の周囲１ｍ３の空間しか漂わないので、近傍の利用者２００のみが、アロマ芳香を楽しむことができ、他人に迷惑をかけることはない。
その他の構成，作用及び効果は、上記第１実施例と同様であるので、その記載は省略する。
【００２７】
なお、この考案は、上記実施例に限定されるものではなく、考案の要旨の範囲内において種々の変形や変更が可能である。  
例えば、上記第３実施例では、アロマ錠剤１を排気口５１ａの近傍に収納した例を示したが、アロマ錠剤１を吸気口５０ａ，５０ｂから排気口５１ａに至る空気経路のいずれかの位置に収納した空気清浄機も、この考案の範囲に含まれる。
【００２８】
また、上記第３実施例では、足部５１ｂを排気口５１ａと対抗する位置に取り付けて、アロマ芳香を空気清浄機５の真上に拡散する例を示したが、排気口５１ａに対す足部５１ｂの取り付け位置を変えることで、アロマ芳香の拡散方向を変えることがでる。
また、空気清浄機５に鎖等を取り付け、ペンダント風にして、利用者２００が空気清浄機５を首にかけて使用することもできる。
【符号の説明】
【００２９】
１…アロマ錠剤、  ２…アロマ錠剤包装体、  ３…第１包装部、  ４…第２包装部、  ５…空気清浄機、  ６…収納機構、  １０…セラミック体、  １０ａ…孔、  １１…アロマオイル、  ３０，４０，４１…アルミニュウムシート、  ３１…プラスチックキャップ、  ３２…接着剤、  ４０ａ，４１ａ…周縁部、  ４２…チャック、  ４２ａ，６１…凹部、４２ｂ…凸部、  ４３…切り欠き、  ５０…蓋、  ５０ａ…吸気口、  ５１…筐体、  ５１…蓋、  ５１ａ…排気口、  ５１ｂ…足部、  ５１ｃ…周面、  ５２…電気集塵フィルタ、  ５３…ＤＣファン、  ５３ａ…ガイド壁、  ５４…二次電池、  ５６…スイッチ、  ６０…蓋部、  ６２…開口、  ６３…保持枠、  １００…机、  ２００…利用者、  Ａ…空気。
【図１】
0003225383.tif 000003
【図２】
0003225383.tif 000004
【図３】
0003225383.tif 000005
【図４】
0003225383.tif 000006
【図５】
0003225383.tif 000007
【図６】
0003225383.tif 000008
【図７】
0003225383.tif 000009
【図８】
0003225383.tif 000010
【図９】
0003225383.tif 000011
【図１０】
0003225383.tif 000012
【図１１】
0003225383.tif 000013
【図１２】
0003225383.tif 000014
【図１３】
0003225383.tif 000015
【図１４】
0003225383.tif 000016
【図１５】
0003225383.tif 000017